(57)【要約】  【課題】発泡倍率の低下を防止する。【解決手段】放射ノズル９を有する起泡部３と、該起泡部３に放出区画１の空気を供給する空気吸引部５と、を備えた高膨張泡消火設備であって；前記空気吸引部３の内部に、吸引空気を透過させるスチールウール１９と該スチールウール１に向かって水Wを噴霧する噴霧ノズル１０と、を設ける。  【選択図】  図１
2008119170.tif 000002
【特許請求の範囲】
【請求項１】
放射ノズルを有する起泡部と、該起泡部に放出区画の空気を供給する空気吸引部と、を備えた高膨張泡消火設備であって；
前記空気吸引部の内部に、吸引空気を透過させる浄化用多孔性物体と該浄化用多孔性物体に向かって浄化液を噴霧する噴霧ノズルと、を設けたことを特徴とする高膨張泡消火設備。
【請求項２】
前記浄化用多孔性物体が、スチールウールであることを特徴とする請求項１記載の高膨張泡消火設備。
【請求項３】
前記浄化液が、水、又は、泡水溶液であることを特徴とする請求項１記載の高膨張泡消火設備。
【請求項４】
請求項1記載の高膨張泡消火設備を用いる発泡方法であって；
前記噴霧ノズルから浄化液を噴霧させて浄化用多孔性物体に付着させ、該浄化用多孔性物体を透過する吸引空気中の煙を前記付着した液滴に吸着させた後、該吸引空気を前記起泡部に供給することを特徴とする高膨張泡消火設備の発泡方法。
【請求項５】
請求項３記載の高膨張泡消火設備を用いる発泡方法であって；
前記噴霧ノズルから水、又は、泡水溶液を噴霧させて浄化用多孔性物体に付着させ、該浄化用多孔性物体を透過する吸引空気中の煙を前記付着した液滴に吸着させた後、該吸引空気を前記起泡部に供給することを特徴とする高膨張泡消火設備の発泡方法。
【発明の詳細な説明】
【技術分野】
【０００１】
この発明は、石油タンクのピット、石油コンビナートのカルバート、或いは、船室、船倉等に用いられる高膨張泡消火設備及びその発泡方法に関するものであり、更に述べると、発泡倍率の低下を防止できる、高膨張泡消火設備及びその発泡方法に関するものである。
【背景技術】
【０００２】
泡消火設備では、放射ノズルから泡水溶液を放出し、それを発泡用網に衝突させて空気を吸い込ませることにより発泡させ、この泡で火源を埋め尽くし、窒息消火を行っている。この泡消火設備には、低発泡消火設備と高発泡（高膨張）消火設備とがある。
【０００３】
前記両消火設備では、発泡倍率が異なり、例えば、低発泡消火設備の発泡倍率は２０以下、高膨張消火設備の発泡倍率は、８０以上１０００未満、である。ここで発泡倍率とは、泡水溶液と生成された泡の体積比をいう。
【０００４】
高膨張泡、例えば、発泡倍率５００以上で泡を発生させるためには、放射ノズルの上流側から大量の空気を取り込む必要があるが、前記大量の空気を取り込む場合には、室外の空気を吸引する方式（「アウトサイドエア」という）が一般的である。
【０００５】
しかし、このアウトサイドエアでは、外部の空気を利用するため、建屋にダクトを貫設したり、隔壁に穴を開けて泡発生器を配設したりするので、コストが嵩む等の問題がある。
【０００６】
そこで、上記問題を解決するため、泡を放出する区画内の空気を吸引する方式（「インサイドエア」という）の高膨張泡消火設備が用いられている(例えば、特許文献１参照)。
【０００７】
【特許文献１】特開平６−１６５８３７号公報
【発明の開示】
【発明が解決しようとする課題】
【０００８】
インサイドエアの高膨張泡消火設備では、火災時に発生する煙の量、質によっては、発泡倍率が設計通りにならず、例えば、設計された発泡倍率が５００の場合には、実際の発泡倍率が１００、となってしまう場合がある。この様に発泡倍率が低下すると、泡で火源を完全に覆い尽くすことができなくなるので、効果的に窒息消火を行うことができなくなる。発泡倍率の低下する原因は、後で詳細に述べるが、主に空気中の煙の存在である。
【０００９】
この発明は、上記事情に鑑み、発泡倍率の低下を防止することを目的とする。
【課題を解決するための手段】
【００１０】
この発明は、放射ノズルを有する起泡部と、該起泡部に放出区画の空気を供給する空気吸引部と、を備えた高膨張泡消火設備であって；前記空気吸引部の内部に、吸引空気を透過させる浄化用多孔性物体と該浄化用多孔性物体に向かって浄化液を噴霧する噴霧ノズルと、を設けたことを特徴とする。
【００１１】
この発明の前記浄化用多孔性物体が、スチールウールであることを特徴とする。この発明の前記浄化液が、水、又は、泡水溶液であることを特徴とする。
【００１２】
この発明は、放射ノズルを有する起泡部と、該起泡部に放出区画の空気を供給する空気吸引部と、を備えた高膨張泡消火設備であって；前記空気吸引部の内部に、吸引空気を透過させる浄化用多孔性物体と該浄化用多孔性物体に向かって浄化液を噴霧する噴霧ノズルと、を設けた高膨張泡消火設備、を用いる発泡方法であって；前記噴霧ノズルから浄化液を噴霧させて浄化用多孔性物体に付着させ、該浄化用多孔性物体を透過する吸引空気中の煙を前記付着した液滴に吸着させた後、該吸引空気を前記起泡部に供給することを特徴とする。
【００１３】
この発明は、放射ノズルを有する起泡部と、該起泡部に放出区画の空気を供給する空気吸引部と、を備えた高膨張泡消火設備であって；前記空気吸引部の内部に、吸引空気を透過させる浄化用多孔性物体と該浄化用多孔性物体に向かって水、又は、泡水溶液を噴霧する噴霧ノズルと、を設けた高膨張泡消火設備、を用いる発泡方法であって；前記噴霧ノズルから水、又は、泡水溶液を噴霧させて浄化用多孔性物体に付着させ、該浄化用多孔性物体を透過する吸引空気中の煙を前記付着した液滴に吸着させた後、該吸引空気を前記起泡部に供給することを特徴とする。
【発明の効果】
【００１４】
この発明は、以上のように構成したので、空気吸引部に吸引された室内空気、即ち、前記空気吸引部が配設されている室内の空気、の中に含まれている煙は、噴霧ノズルから浄化液を噴霧され、濡れた状態になっている浄化用多孔性物体を透過し、該物体に付着している液滴に吸着されながら落下する。そのため、発泡倍率の低下を抑止できるので、安定した発泡性能を得ることができ、効果的に消火を行うことができる。
【００１５】
なお、前記噴霧ノズルは、浄化用多孔性物体を濡らす程度の噴霧量で足りるので、浄化用多孔性物体を使用せず、噴霧ノズルだけを使用する場合に比べ、浄化液の使用量を大幅に少なくすることができる。又、前記付着した液滴は、自重により時間をかけてゆっくりと落下するので、前記煙（粒子）を十分に吸着することができる。
【発明を実施するための最良の形態】
【００１６】
本件発明者は、高膨張泡消火設備の発泡倍率の低下原因について研究、実験したところ、「煙」に主な原因があることが分かった。この煙は、火災の発生により室（泡の放出区画）内に発生するが、液体の微粒子、例えば、粒径０．１μmの微粒子、となって室内に浮遊する。この微粒子が、空気吸引部により室内の空気を吸引したときに、空気と一緒になって起泡部に供給され、発泡倍率を低下させているのである。
【００１７】
そこで、本発明者は、起泡部に煙を除去した清浄な空気を供給すれば、前記課題は解決できるものと考え、その手段等を研究実験した。
その結果、起泡部に室内空気を供給する、空気吸引部の内部に、浄化用多孔性物体と噴霧ノズルを設け、該噴霧ノズルから液滴となって噴霧される水、又は、泡水溶液を前記多孔性物体に付着させ、該多孔性物体を透過する吸引空気中の煙（粒子）を、前記付着した液滴に吸着させた後、該吸引空気を起泡部に供給すれば良いことが分かった。本件発明は、以上の知見に基づいてなされたものである。
【実施例】
【００１８】
この発明の第１実施例を図１により説明する。
泡の放出区画である部屋（室）１には、高膨張泡消火設備が設けられている。この消火設備は、例えば、発泡倍率５００であり、起泡部３と、該起泡部３に空気を供給する空気吸引部５と、を備えている。
【００１９】
起泡部３は円筒状に形成され、その先端には、発泡用網（ネット）７が張設され、その内部には、前記網７と間隔をおいて対向する、複数の放射ノズル９が設けられている。この放射ノズル９は、泡水溶液を生成する混合器(図示省略)に連結されている。
【００２０】
空気吸引部５は、前記起泡部３と同径のダクトにより形成され、その内部には噴霧ノズル１０と浄化用多孔性物体１９が設けられている。
【００２１】
この噴霧ノズル１０は、煙を吸着する水、又は、泡水溶液の水滴（液滴）を噴射せしめて前記多孔性物体１９に付着させる。このノズル１０は、例えば、粒径５０〜１００μmの水滴を噴霧する。このノズル１０は、上壁に下向に複数本配設されているが、その配設位置、本数等は、必要に応じて適宜選択することができる。
【００２２】
浄化用多孔性物体１９は、吸引空気が透過可能な複数の隙間Sを有する物体であり、例えば、この物体１９として、スチールウールが用いられる。この物体の種類、配設量、空気透過率等は必要に応じて適宜選択される。
【００２３】
次に本実施例の作動について説明する。
部屋（泡の放出区画）１内で火災が発生すると、図示しない火災感知器が火災を検知し、制御盤に火災信号を送出する。
そうすると、該制御盤は、高膨張泡消火設備を起動させるので、空気吸引部５から室内空気、即ち、前記空気吸引部５が配設されている室内の空気Ｋ、が吸引されると共に、放射ノズル９から泡水溶液wが放出され、該泡水溶液ｗは発泡用網７に衝突して微細化されながら空気を吸い込んで発泡する。この泡は、高膨張泡１２であり、火源に向かって落下し、該火源を覆い尽くす。そのため、前記火源の窒息消火、冷却消火などを行なうことができる。
【００２４】
この時、部屋１内では、火災に基く煙Ｈが発生しており、この煙Ｈは室内の空気Ｋと一緒になって空気吸引部５に吸引されるが、該吸引部５の内部には、スチールウール１９と噴霧ノズル１０が設けられているので、前記噴霧ノズル１０から滴状に噴霧された水は、前記スチールウール１９に付着し、該付着した水滴Fは、該スチールウール１９を伝って自重により時間をかけてゆっくりと落下する。
【００２５】
そのため、前記スチールウール１９の隙間Sを通過する吸引空気中の煙（粒子）Hは、前記付着した水滴Ｆに接触して吸着されるので、前記起泡部３には、液状の微粒子（煙）Ｈの濃度が低減された清浄な空気Ｋが供給される。従って、発泡倍率の低下を抑止することができるので、効率よく消火することができる。
【００２６】
この発明の第2実施例を図２により説明するが、図１と同一図面符号は、その名称も機能も同一である。
この実施の形態と前記実施の形態との相違点は、噴霧ノズル１０から泡水溶液を放出すると共に、該放出された泡水溶液を回収し、起泡部３の放射ノズル９に供給して再利用することである。
【００２７】
即ち、空気吸引部５の下部に貯留部２０を設け、該貯留部２０をポンプＰを介してメイン配管３０に連結する。このメイン配管３０は、起泡部３の放射ノズル９に泡水溶液を供給する配管である。なお、ポンプＰの代わりに、メイン配管30に混合器（図示省略）を設け、該混合器により回収した泡水溶液Ｗを放射ノズル９に供給しても良い。
【図面の簡単な説明】
【００２８】
【図１】本発明の第１実施例を示す正面図である。
【図２】本発明の第２実施例を示す正面図である。
【符号の説明】
【００２９】
１    部屋
３    起泡部
５    空気吸引部
７    発泡用網
９    放射ノズル
１０  噴霧ノズル
１９  浄化用多孔性物体
Ｋ    空気
Ｈ    煙
【図１】
2008119170.tif 000003
【図２】
2008119170.tif 000004